(57)【要約】      （修正有）【課題】集光領域の減少を減らすために傾斜面積が調節された光学シートモジュールを提供する。【解決手段】第１ベースフィルム４１４の上に、上部ほど横断面積が減少する傾斜面が形成された第１単位集光体４１２ａが繰り返される第１構造化パターンを形成する上部光学シート４１０の製作工程と、上部ほど横断面積が減少する傾斜面を有する接合部４２２ｃ及び光伝達部４２２ｂを含み、第２単位集光体４２２ａが繰り返される第２構造化パターン４２２を第２ベースフィルム４２４上に形成する下部光学シート４２０製作工程と、下部光学シートと上部光学シートを積層する工程と、外力によって上部光学シートと下部光学シートの上下距離が近くなるにつれて、接合部に微細な変形が生じる工程と、接合部が第１ベースフィルムの下面に沿って横方向に変形し、第２構造化パターンと第１ベースフィルムが完全に接合する工程とを含む積層型光学シートモジュールの製造方法。【選択図】図２
2019117385.tif 000002
【特許請求の範囲】
【請求項１】
第１ベースフィルムの上面に、プリズム形態の第１単位集光体が連続的に繰り返される第１構造化パターンを形成して下部から伝達される光を集光するプリズムシートで形成された上部光学シートを製作する第１工程と、
上部に行くほど横断面積が減少するように傾斜面を有する接合部４２２ｃ及び前記接合部４２２ｃの下部に連続的に形成される光伝達部４２２ｂを含み、前記第１単位集光体４１２ａの最下部から最上部に達する垂直距離より長く形成されたプリズム形態の第２単位集光体４２２ａが連続的に繰り返される第２構造化パターン４２２を第２ベースフィルム４２４の上面に形成して下部から伝達される光を集光して前記上部光学シートに伝達するプリズムシートで形成された下部光学シートを４２０を製作する第２工程と、
前記下部光学シート４２０の上部に前記上部光学シート４１０を積層させる第３工程と、
外力によって持続的に前記上部光学シート４１０と前記下部光学シート４２０の上下距離が近くなるにつれて、前記接合部４２２ｃの形状に微細な変形が生じる第４工程と、
前記接合部４２２ｃが前記第１ベースフィルム４１４の下面に沿って横方向に拡散して変形し、前記第２構造化パターン４２２と前記第１ベースフィルム４１４が完全に接合する第５工程と、
を含み、
前記光伝達部は、第１単位集光体の断面軌跡の長さと同一であるか、より大きく形成され、前記上部光学シートと前記下部光学シートの接合時の断面軌跡長さが維持され、
前記第２単位集光体は、断面軌跡の傾斜角度が前記第１単位集光体と同一の傾斜角度を有する積層型光学シートモジュールの製造方法。
【請求項２】
前記第２段階は、前記第２ベースフィルムの上面で前記第２単位集光体を固液状態に半硬化させる過程をさらに含むことを特徴とする、請求項１に記載の積層型光学シートモジュールの製造方法。
【発明の詳細な説明】
【技術分野】
【０００１】
本発明は、光学シートモジュールに関し、下部光学シートにおいて上部光学シートと接合される時に接合される領域を考慮して光を集光させる傾斜面の大きさが一定大きさ以上に維持されるように構成された積層型光学シートモジュールに関する。
【背景技術】
【０００２】
液晶表示装置はノートブック型パソコン（ｎｏｔｅｂｏｏｋ）、パーソナルコンピュータ（ｐｅｒｓｏｎａｌ  ｃｏｍｐｕｔｅｒ）、スマートフォン（ｓｍａｒｔ  ｐｈｏｎｅ）またはＴＶなどに用いられるディスプレイ装置であり、液晶表示装置の需要の拡大に応じてその特性も毎年改善されている。
非発光素子である液晶表示装置の液晶パネルは、その構造上、バックライトユニット（ｂａｃｋ  ｌｉｇｈｔ  ｕｎｉｔ）を必要とする。バックライトユニットの場合、様々な光学系で構成される。また、バックライトユニットは輝度の向上のために周期的な配列の光学フィルムを用いることになる。
【０００３】
図１は、従来に開発された液晶表示装置の構成を概略的に示す図である。
図１に示すように、バックライトユニット１０は、発光源１、反射板２、導光板３、拡散シート４、第１光学シート５、第２光学シート６および保護シート７を含む。
前記発光源１は可視光を発生させる素子であり、このような光源１としてはＬＥＤ（Ｌｉｇｈｔ  Ｅｍｉｔｔｉｎｇ  Ｄｉｏｄｅ）および冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）などが選択的に用いられることができる。
【０００４】
前記発光源１から放出された光は導光板３に入射され、導光板３の内部で全反射を引き起こして進行し、臨界角より小さい角度の入射角で導光板３内部の表面に入射される光は全反射されずに透過するため、上側と下側に放出される。
この時、前記反射板２は下側に放出された光を反射して導光板３に再入射させて光効率を向上させる。
前記拡散シート４は前記導光板３の上部面を通して放出される光を拡散させて輝度を均一にし、視野角を広げるものであるが、拡散シート４を通過した光は正面出射輝度が落ちることになる。
【０００５】
前記第１光学シート５は基材部５ｂと構造化パターン５ａで構成され、拡散シート４から入射する光を屈折させて垂直に入射するように１次集光して放出する。
また、前記構造化パターン５ａは基材部５ｂの上部面に一体で形成され、基材部５ｂを経て入射される光を垂直方向に屈折させて出射させるための構造からなる。
前記構造化パターン５ａは三角形状を有するように形成されるのが一般的であり、三角形状の頂角は通常９０度内外である。
【０００６】
また、前記第２光学シート６は第１光学シート５と同一の形状を有し、第１光学シート５で１次集光された光の輝度を高めるために２次集光して放出する。
ここで、前記第１光学シート５と前記第２光学シート６は、輝度をより高めるために、前記第１光学シート５の構造化パターンの延長方向と第２光学シート６の構造化パターンの延長方向が互いに直角に交差するように配置されて一体に接着される。
前記保護シート７は第２光学シート６の表面損傷を防止するように上部面に付着される。
【０００７】
しかし、このような構成は、前記第１光学シート５と前記第２光学シート６の接合時、前記構造化パターン５ａは上側末端部が前記第２光学シート６の下面に接合されて形状が変形されると同時に、断面軌跡の長さが減少して実際に下部から伝達される光を屈折させて集光する領域が減るという問題点があった。
このように、前記構造化パターン５ａにおいて光を屈折させて集光する領域が減れば輝度が減少するという問題点が発生し、そのためにバックライトユニットの品質が低下するという問題点があった。
【発明の概要】
【発明が解決しようとする課題】
【０００８】
本発明の目的は、従来の光学シートモジュールの問題点を解決するためのものであって、下部光学シートに形成された単位集光体が上部光学シートと接合時に消失される傾斜面により光の集光領域の減少が発生するため、集光領域の減少を減らすために傾斜面積が調節された光学シートモジュールを提供することにある。
【課題を解決するための手段】
【０００９】
前記課題を解決するために、本発明の一側面によれば、上部に行くほど横断面積が減少する傾斜面が形成された第１単位集光体が連続的に繰り返される第１構造化パターンを有する上部光学シート、および前記上部光学シートの下部に積層形態で備えられ、上部に行くほど横断面積が減少する傾斜面が形成された第２単位集光体が連続的に繰り返される第２構造化パターンを有する下部光学シートを含み、前記第２単位集光体の最下部から最上部に達する垂直距離が前記第１単位集光体の最下部から最上部に達する垂直距離より長く形成され、前記第２単位集光体の傾斜面は前記第１単位集光体の傾斜面より相対的により大きい表面積を有する。
【００１０】
また、前記第２単位集光体は、断面軌跡の傾斜角度が前記第１単位集光体と同一の傾斜角度を有することを特徴とする。
なお、前記第２単位集光体は、入射される光を集光して上部に伝達する光伝達部、および前記光伝達部の上部に連結され、前記上部光学シートに接合される接合部を含むことを特徴とする。
ここで、前記第２単位集光体は、前記光伝達部の断面軌跡の長さが前記第１単位集光体の断面軌跡の長さと同一であるかより大きいことを特徴とする。
【００１１】
また、前記接合部は、前記第２単位集光体と前記上部光学シートの接合過程で変形して形成されることを特徴とする。
また、前記光伝達部は、形状が変形されずに断面軌跡の長さを維持し、前記上部光学シートと接合されることを特徴とする。
なお、前記接合部は、前記光伝達部の上部から上部方向に延びて形成された１対の延長面、および前記１対の延長面の各々に両側が連結され、前記上部光学シートと接合される接合面を含んで構成されることを特徴とする。
【００１２】
ここで、前記接合面は、断面の軌跡が屈曲形成されることを特徴とする。
また、前記接合部は、前記光伝達部の断面軌跡の上部方向の末端部を連結する連結面の形状に形成されることを特徴とする。
なお、前記第２構造化パターンは、上部方向の末端部が前記上部光学シートの下面に直接接合されることを特徴とする。
また、前記上部光学シートと下部光学シートとの間に形成され、前記第２構造化パターンの上部方向の末端部が埋め込まれる接着層をさらに含んで構成されることを特徴とする。
【００１３】
なお、前記第１単位集光体および前記第２単位集光体は、断面の形状が三角形状であることを特徴とする。
また、前記下部光学シートおよび前記上部光学シートと積層形態で配置され、下部から伝達される光の偏光状態に応じて選択的に光を透過させる反射偏光フィルムをさらに含むことを特徴とする。
なお、前記反射偏光フィルムは、前記上部光学シートと前記下部光学シートとの間に積層して備えられることを特徴とする。
【００１４】
また、前記反射偏光フィルムは、前記上部光学シートの上部に積層して備えられることを特徴とする。
なお、前記第２構造化パターンは、同一の断面形状を有し、横方向に沿って延びて形成されることを特徴とする。
また、前記上部光学シートおよび前記下部光学シートは、前記第１構造化パターンの延長方向および前記第２構造化パターンの延長方向が交差するように配置されることを特徴とし、前記第１構造化パターンは、前記第２構造化パターンと垂直に交差することを特徴とする。
【００１５】
前記課題を解決するために、本発明の他の側面によれば、上部に行くほど横断面積が減少する第１単位集光体が連続的に繰り返される第１構造化パターンを有する上部光学シート、および前記上部光学シートの下部に積層形態で備えられ、上部に行くほど横断面積が減少する第２単位集光体が連続的に繰り返される第２構造化パターンを有する下部光学シートを含み、前記第２単位集光体は前記第１単位集光体と同一の横断面形状を有し、前記第１単位集光体に比べて横断面積が相対的に大きく形成され、隣接した単位集光体までの距離が相対的に長く形成される。
【発明の効果】
【００１６】
前記問題点を解決するために、本発明によれば次のような効果がある。
第１構造化パターンが形成された上部光学シートおよび第２構造化パターンが形成された下部光学シートが積層形態で接合される光学シートモジュールにおいて、下部光学シートに形成された単位集光体が上部光学シートと接合時に消失される傾斜面により光の集光領域の減少が発生するため、集光領域の減少を減らすために傾斜面積を調節することにより、第２構造化パターンは上部光学シートと下部光学シートの接合時に一定強度を維持するための接合面積を除いた残りの傾斜面が一定大きさ以上を維持できるという効果がある。
【００１７】
第２構造化パターンは下部から伝達される光を屈折させて集光する光伝達部および光伝達部の上部に延びて形成された接合部で構成され、上部光学シートと下部光学シートが接合されても接合部の形状だけ変形されるようにすることにより、光伝達部の消失を防止して光伝達部を通じて屈折して集光される光の輝度が増加するという効果がある。
【図面の簡単な説明】
【００１８】
【図１】従来に開発された液晶表示装置の構成を概略的に示す図である。
【図２】本発明の実施形態による光学シートモジュールの構成を概略的に示す図である。
【図３】図２の光学シートモジュールにおいて第１構造化パターンおよび第２構造化パターンの形状を示す図である。
【図４】図２の下部光学シートにおいて接合部の変形が生じる状態を示す図である。
【図５】図２の接合部の有無に応じて上部光学シートと下部光学シートが接合された状態で光伝達部の長さ差を示す図である。
【図６】図２の光学シートモジュールにおいて別途の接着層がさらに含まれた構成について示す図である。
【図７】図６の接着層に前記接合部が埋め込まれた状態について示す図である。
【図８】図６の下部光学シートにおいて接合部の変形された形態について示す図である。
【図９】図２の下部光学シートにおいて接合部が延長面の形態に形成された構成について示す図である。
【図１０】図２の光学シートモジュールにおいて反射偏光フィルムがさらに含まれた状態を示す分解斜視図である。
【図１１】図１０の反射偏光フィルムによって光が透過または反射する状態を示す図である。
【発明を実施するための形態】
【００１９】
このように構成された本発明による積層型光学シートモジュールの好ましい実施形態を添付図面に基づいて説明する。但し、これは本発明を特定の形態に限定しようとするものではなく、本実施形態を通じてより明らかな理解を助けるためのものである。
また、本実施形態を説明するにおいて、同一構成に対しては同一名称および同一符号が用いられており、それに応じた付加的な説明は省略することにする。
【００２０】
本発明の実施形態による積層型光学シートモジュールは光の経路を変化させるための様々な分野に適用されることができ、本実施形態では液晶表示装置に適用される形態を一例として説明することにする。
先ず、図２を参照し、本発明の実施形態による液晶表示装置の概略的な構成について説明すれば次の通りである。
【００２１】
図２は、本発明の実施形態による積層型光学シートモジュールの概略的な構成を示す分解斜視図である。
図示したように、液晶表示装置を構成するにおいて、液晶パネルに光を提供するバックライトユニット（ＢＬＵ：Ｂａｃｋ  Ｌｉｇｈｔ  Ｕｎｉｔ）が必須に備えられなければならない。このようなバックライトユニットは、大きく、光源１００、導光板２００、拡散シート３００および光学シートモジュール４００で構成される。
【００２２】
前記光源１００は一般的に光を発光する発光体で構成され、前記導光板２００の側部から光を発光して前記導光板２００方向に光を伝達する。
また、前記導光板２００は、前記光源１００から発光された光を反射および散乱して前記拡散シート３００方向に伝達する。前記拡散シート３００は前記導光板２００の上部に配置され、前記導光板２００から伝達される光を拡散させて均一に広がるようにして上部に伝達する。
【００２３】
なお、前記光学シートモジュール４００は前記拡散シート３００の上部に配置され、伝達される光を集光して上部に移動させる。前記光学シートモジュール４００は、一般的に、上部光学シート４１０および下部光学シート４２０の１対で構成される。
このように構成された前記上部光学シート４１０および下部光学シート４２０に形成された構造化パターンにより、前記光学シートモジュール４００の面に対して直交する方向に光が集光屈折される。
【００２４】
前記光学シートモジュール４００についてより詳細に説明すれば、前記光学シートモジュール４００は前記上部光学シート４１０および前記下部光学シート４２０で構成される。
前記上部光学シート４１０は、大きく、第１ベースフィルム４１４および第１構造化パターン４１２で構成される。
【００２５】
前記第１ベースフィルム４１４としては下部から伝達される光が容易に透過できる光透過性フィルムが用いられるのが一般的であり、前記第１ベースフィルム４１４の上面には光を屈折させて集光させる前記第１構造化パターン４１２が第１ベースフィルム４１４と一体化するように形成される。
前記第１構造化パターン４１２は、断面の軌跡が所定角度に傾斜し、前記第１ベースフィルム４１４の上面から連続的に繰り返して上部方向に突出して上部に行くほど横断面積が小さくなる傾斜面が形成された複数の第１単位集光体４１２ａで構成される。
【００２６】
前記第１単位集光体４１２ａは、前記第１ベースフィルム４１４を透過した光を屈折および集光させて上部に伝達する。
このように構成された前記上部光学シート４１０は、前記第１構造化パターン４１２によって下部から伝達される光を屈折および集光させて上部に出射する。一般的に、前記第１構造化パターン４１２は複数の前記第１単位集光体４１２ａが三角形状のプリズムで形成され、一方向に沿って延びるように形成されており、複数個が配列されて構成される。
【００２７】
前記下部光学シート４２０は大きく第２ベースフィルム４２４および第２構造化パターン４２２で構成されており、前記上部光学シート４１０の下部に配置され、前記第２ベースフィルム４２４の上面に第２構造化パターン４２２が形成されている。
前記第２ベースフィルム４２４は、前記第１ベースフィルム４１４と同様に、下部に配置された前記拡散シート３００から伝達される光を透過させて上部に伝達すると同時に上面に前記第２構造化パターン４２２が形成される。
【００２８】
前記第２構造化パターン４２２は、前記第１構造化パターン４１２と類似するように上部に行くほど横断面積が小さくなるように形成され、内部の空気に露出され、前記拡散シート３００から伝達される光を屈折させて上部方向に伝達する。
前記第２構造化パターン４２２は前記第２ベースフィルム４２４の上面において連続的に繰り返され、上部に行くほど横断面積が小さくなる傾斜面が形成された複数の第２単位集光体４２２ａで構成される。
【００２９】
しかし、前記第２単位集光体４２２ａは、上部に行くほど横断面積が小さくなる光伝達部４２２ｂ、および前記光伝達部４２２ｂと連続的に連結されて上部に配置され、前記第１ベースフィルム４１４の下面に接合される接合部４２２ｃを含んで構成される。
前記光伝達部４２２ｂは、前記第１ベースフィルム４１４に接合されず、断面軌跡の長さが変わらず、内部の空気に露出され、前記拡散シート３００から伝達される光を屈折させて上部方向に伝達する。
【００３０】
前記接合部４２２ｃは前記光伝達部の上部に連結され、前記第１ベースフィルム４１４の下面に接して前記上部光学シート４１０と前記下部光学シート４２０が接合されるように接着剤の役割をする。ここで、前記接合部４２２ｃは前記第１ベースフィルム４１４と接合される時に形状が変形され得るし、それにより、前記接合部４２２ｃの垂直方向に応じた高さが変形され得る。
【００３１】
前記接合部４２２ｃは様々な形態に形成されることができ、本実施形態において、前記接合部４２２ｃは前記光伝達部４２２ｂと同一の傾斜角度を有し、上部に上向き傾斜するように延びて上側末端部が互いに会うように形成される。
このように構成された前記第２単位集光体４２２ａは前記第１単位集光体４１２ａと同一の傾斜角度を有し、前記第２単位集光体４２２ａの傾斜面は前記第１単位集光体４１２ａの傾斜面より相対的により大きい表面積を有するように形成される。
【００３２】
すなわち、前記第２単位集光体４２２ａの最下部から最上部に達する垂直距離が前記第１単位集光体４１２ａの最下部から最上部に達する垂直距離より長く形成され、前記第２単位集光体４２２ａの傾斜面は前記第１単位集光体４１２ａの傾斜面より相対的により大きい表面積を有するようになる。
この時、前記第２単位集光体４２２ａは前記第１単位集光体４１２ａと同一の断面形状を有し、且つ、前記第１単位集光体４１２ａに比べて断面積が相対的に大きく形成されることにより、隣接した単位集光体までの距離が相対的に長く形成される。
【００３３】
一方、上述したように前記第２単位集光体４２２ａの傾斜面は前記第１単位集光体４１２ａの傾斜面より相対的により大きい表面積を有しても良いが、それに限定されない。
前記光伝達部４２２ｂの断面軌跡の長さが前記第１単位集光体４１２ａの断面軌跡の長さと同一であるかより大きく形成されることもできる。
【００３４】
このように構成された前記下部光学シート４２０は前記拡散シート３００と前記上部光学シート４１０との間に積層され、前記拡散シート３００から伝達される光を前記第２構造化パターン４２２によって屈折および集光させて前記上部光学シート４１０に伝達する。
一方、前記第１構造化パターン４１２および前記第２構造化パターン４２２は上部に上向き傾斜するように延びて上側末端部が互いに会うように形成された三角形状となることができる。また、前記第１構造化パターン４１２および前記第２構造化パターン４２２の断面軌跡は直線に形成されることができる。
【００３５】
しかし、図示された前記第１構造化パターン４１２および前記第２構造化パターン４２２の形状は特定の形態に限定されるものではなく、本発明の実施形態による構成を理解し易いように選択したものである。
それと共に、前記第１ベースフィルム４１４および前記第２ベースフィルム４２４はアクリルやウレタンなどで構成され、前記拡散シート３００から伝達された光を透過させるように光透過度の高い素材からなることが好ましい。
【００３６】
このように構成された前記上部光学シート４１０および下部光学シート４２０は、各々の前記第１構造化パターン４１２および前記第２構造化パターン４２２が同一の断面積を有し、横方向に沿って延びて形成され、前記第１構造化パターン４１２の延長方向および前記第２構造化パターン４２２の延長方向が横方向に沿って互いに交差するように接着される。
【００３７】
この時、前記第１構造化パターン４１２および前記第２構造化パターン４２２の交差角度は様々な角度が適用されることができ、本実施形態では約９０度の角度で接着されている。
次に、図３を参照し、前記第１構造化パターン４１２と前記第２構造化パターン４２２の構造についてより詳細に説明すれば次の通りである。
【００３８】
図３は、図２の光学シートモジュール４００において第２構造化パターンの形状を示す図である。
図示したように、前記上部光学シート４１０と前記下部光学シート４２０が接合される前の状態を示すものであり、前記第１構造化パターン４１２は下部から伝達される光を垂直に屈折させて集光する前記第１単位集光体４１２ａを有する。
【００３９】
また、前記第２構造化パターン４２２は下部から伝達される光を屈折させて前記上部光学シート４１０に伝達する前記第２単位集光体４２２ａを有し、前記第２単位集光体４２２ａは前記光伝達部４２２ｂおよび前記光伝達部４２２ｂの上部に連結されて前記第１ベースフィルム４１４の下面に接合される前記接合部４２２ｃで構成される。
【００４０】
前記接合部４２２ｃは、前記第１ベースフィルム４１４の下面に接合される時に完全に硬化されずに固液状態で接合される。そのため、前記接合部４２２ｃは前記第１ベースフィルム４１４の下面に接合される過程中に形状が変形され、前記第１ベースフィルム４１４との接合面積が増加するようにする。
このように、前記第２構造化パターン４２２は上部方向の末端部に形成された前記接合部４２２ｃが変形されることによって光を屈折させる傾斜面の消失が発生する。
【００４１】
そのため、前記光伝達部４２２ｂは断面軌跡の長さが前記第１単位集光体４１２ａの断面軌跡の長さと同一であるかより大きく形成され、それにより、前記第２構造化パターン４２２が前記第１ベースフィルム４１４に接合されることによって傾斜面の消失が発生しても一定の長さ以上の断面軌跡を有するようにすることにより、下部から伝達される光を屈折させる光伝達部４２２ｂの断面軌跡の長さは変化がないように構成される。
【００４２】
図示された図面を見てみれば、前記第１単位集光体４１２ａの断面軌跡の長さはＬ１であり、前記光伝達部４２２ｂの断面軌跡の長さはＬ２である。ここで、Ｌ１とＬ２の長さが同一である。
そのため、前記第２構造化パターン４２２全体の断面軌跡の長さは前記光伝達部４２２ｂの断面軌跡の長さであるＬ２と前記接合部４２２ｃの断面軌跡の長さであるＬ３を合わせた長さとなり、前記第１構造化パターン４１２の断面軌跡の長さはＬ１となる。
【００４３】
すなわち、Ｌ１とＬ２の長さが同一であるため、前記第１構造化パターン４１２での前記第１単位集光体４１２ａの断面軌跡の長さより前記第２構造化パターン４２２での前記第２単位集光体４２２ａの断面軌跡の長さがより長く形成される。
このように、前記第２単位集光体４２２ａの断面軌跡の長さが前記第１単位集光体４１２ａの断面軌跡の長さより長く形成されることにより、前記第２構造化パターン４２２は前記上部光学シート４１０と前記下部光学シート４２０の接合によって前記接合部４２２ｃが消失されても前記光伝達部４２２ｂの傾斜面を維持して集光効果の減少を防止することができる。
【００４４】
一方、前記第１構造化パターン４１２と前記第２構造化パターン４２２が同一の素材で形成される場合、前記第１単位集光体４１２ａと前記光伝達部４２２ｂの傾斜角度は同一に形成され、それにより、全体的に前記第１構造化パターン４１２より前記第２構造化パターン４２２のピッチがより大きく形成される。
次に、図４を参照し、前記上部光学シート４１０と前記下部光学シート４２０の接合によって前記接合部４２２ｃの形状が変形される過程について説明すれば次の通りである。
【００４５】
図４は、図２の下部光学シート４２０において接合部４２２ｃの変形が生じる状態を示す図である。
先ず、図４（ａ）を見てみれば、前記上部光学シート４１０と前記下部光学シート４２０が接合される前の状態であり、前記第２構造化パターン４２２において前記光伝達部４２２ｂの上部に前記接合部４２２ｃが変形されていない状態に維持された状態である。
【００４６】
ここで、前記第１単位集光体４１２ａと前記光伝達部４２２ｂの断面軌跡の長さが同一に構成される。そのため、前記第１単位集光体４１２ａと前記光伝達部４２２ｂの断面軌跡の長さが同一であるため、前記第１構造化パターン４１２の断面軌跡の長さより前記第２構造化パターン４２２の断面軌跡の長さがより長い状態となる。
また、図４（ｂ）のように、前記上部光学シート４１０と前記下部光学シート４２０の距離が近くなるにつれて、前記接合部４２２ｃが前記第１ベースフィルム４１４の下面に接する状態となる。
【００４７】
この時、前記接合部４２２ｃは完全に硬化していない固液状態を維持している。
このように、前記接合部４２２ｃが前記第１ベースフィルム４１４の下面に接すれば、前記接合部４２２ｃは上下に作用する外力によって上部の形状に微細な変形が生じ、前記第１ベースフィルム４１４と前記光伝達部４２２ｂを接合させる接着剤の役割をする。
ここで、前記第２構造化パターン４２２の断面軌跡の長さは、前記上部光学シート４１０と前記下部光学シート４２０が完全に接合されていない状態であるため、前記第１構造化パターン４１２の断面軌跡の長さより長くなった状態である。
【００４８】
次に、図４（ｃ）を見てみれば、前記上部光学シート４１０と前記下部光学シート４２０が完全に接合された状態であり、前記接合部４２２ｃの形状が完全に変わる。
前記上部光学シート４１０と前記下部光学シート４２０は上下に作用する外力によって持続的に距離が近くなり、前記接合部４２２ｃが前記第１ベースフィルム４１４の下面に沿って横方向に拡散し、それにより、前記接合部４２２ｃの断面軌跡の長さが次第に短くなる。
【００４９】
このように、前記接合部４２２ｃが拡散し変形して前記第２構造化パターン４２２と前記第１ベースフィルム４１４が完全に接合するようになる。
このような過程を通じ、前記第２構造化パターン４２２が前記第１ベースフィルム４１４の下面に接合されて前記接合部４２２ｃの傾斜面は消失されるが、前記光伝達部４２２ｂは変形が生じないため、前記光伝達部４２２ｂの断面軌跡の長さは変化がなくなり、それにより、下部から伝達される光を屈折させて集光する前記光伝達部４２２ｂの傾斜面が維持される。
【００５０】
本実施形態では、前記第１単位集光体４１２ａと前記光伝達部４２２ｂの断面軌跡の長さが同一になるように構成して説明したが、これは特定の形態に限定しようとするものではない。前記上部光学シート４１０と下部光学シート４２０が接合されても前記第２構造化パターン４２２において光を集光させる光伝達部４２２ｂの断面軌跡の長さには変化が生じず、前記接合部４２２ｃにのみ変形が生じるように構成されるのであれば、いかなる形態でも適用可能である。
【００５１】
このように、前記第２単位集光体４２２ａは前記第１ベースフィルム４１４と接合時に傾斜面が消失されることを考慮して前記接合部４２２ｃをさらに備えることにより、前記第１ベースフィルム４１４との接合によって傾斜面が消失されて前記光伝達部４２２ｂの傾斜面が減るのを最小化することができる。
次に、図５を参照し、前記第２構造化パターン４２２において、前記接合部４２２ｃの有無に応じて前記上部光学シート４１０と前記下部光学シート４２０が接合された状態で前記光伝達部４２２ｂの断面軌跡の長さを比較して説明すれば次の通りである。
【００５２】
図５は、図２の接合部４２２ｃの有無に応じて上部光学シート４１０と下部光学シート４２０が接合された状態で光伝達部の長さ差を示す図である。
先ず、図５（ａ）に示すように、前記第２構造化パターン４２２は別途の前記接合部４２２ｃを備えず、前記光伝達部４２２ｂだけで構成されている。
【００５３】
前記第２構造化パターン４２２が前記第１単位集光体４１２ａと同一の断面軌跡の長さを有する前記光伝達部４２２ｂだけで構成されることにより、前記第２構造化パターン４２２と前記第１ベースフィルム４１４が接合する時、前記光伝達部の上部方向の末端部の形状が変形され、傾斜面に消失が発生する。すなわち、前記光伝達部の上部方向の末端部が前記第１ベースフィルム４１４の下面に沿って拡散して高さが減ることになる。
【００５４】
このように前記光伝達部４２２ｂの上部方向の末端部が消失されれば、前記上部光学シート４１０と前記下部光学シート４２０が接合された後、前記光伝達部４２２ｂの断面軌跡の長さであるＬ２が前記第１単位集光体４１２ａの断面軌跡の長さであるＬ１より短くなり、そのために下部から伝達される光を集光する傾斜面が減ることになる。
しかし、図５（ｂ）を見てみれば、前記第２構造化パターン４２２が前記光伝達部４２２ｂおよび前記接合部４２２ｃで構成されていて、接合後に前記接合部４２２ｃが変形され、前記光伝達部４２２ｂの傾斜面だけ残っている状態の図面である。
【００５５】
ここで、前記第２構造化パターン４２２と前記第１ベースフィルム４１４が接合される時、前記接合部４２２ｃが接着剤の役割をして変形され、前記光伝達部４２２ｂには追加の変形が発生しない。そのため、前記光伝達部４２２ｂの断面軌跡の長さであるＬ２は前記第１単位集光体４１２ａの断面軌跡の長さであるＬ１と同一であるかより大きく維持される。
このように前記第２構造化パターン４２２の上部方向の末端部に前記接合部４２２ｃを備えることにより、前記上部光学シート４１０と前記下部光学シート４２０の接合による前記光伝達部４２２ｂの消失を防止することができる。
【００５６】
すなわち、前記第２構造化パターン４２２が形成される時、前記第１ベースフィルム４１４との接着過程を通じて消失される大きさを考慮して上部に前記接合部４２２ｃをさらに備えることにより、前記光伝達部４２２ｂの傾斜面を維持し、集光される光の輝度を増加させることができる。
次に、図６および図７を参照し、本発明の実施形態による光学シートモジュール４００において別途の接着層４３０がさらに備えられた構成について説明すれば次の通りである。
【００５７】
図６は図２の光学シートモジュール４００において別途の接着層４３０がさらに含まれた構成について示す図であり、図７は図６の接着層４３０に前記接合部４２２ｃが埋め込まれた状態について示す図である。
図６に示すように基本的な構成は同一であるが、前記光学シートモジュール４００において、前記上部光学シート４１０と前記下部光学シート４２０との間に別途の接着層４３０がさらに備えられる。
【００５８】
前記光学シートモジュール４００は、前記上部光学シート４１０、前記下部光学シート４２０および別途の接着層４３０を含んで構成される。
前記接着層４３０は前記上部光学シートの下部に備えられ、前記下部光学シートと前記上部光学シートが接着できるようにする。この時、前記接着層４３０は、前記拡散シート３００から伝達された光を透過させられるように光透過度の高い素材からなることが好ましい。
【００５９】
このように、前記光学シートモジュール４００は前記接着層４３０をさらに含んで構成されることにより、前記第２構造化パターン４２２と前記第１ベースフィルム４１４の接合時に前記接合部４２２ｃが接着剤の役割をせず、前記接着層４３０の内部に埋め込まれる。
すなわち、前記接着層４３０は前記第１ベースフィルム４１４の下面に位置し、前記接合部４２２ｃが前記第１ベースフィルム４１４の下面において形状が変わらず、前記接着層４３０の内部に埋め込まれる。
【００６０】
また、前記接合部４２２ｃが前記接着層４３０の内部に埋め込まれることによって接合される面積がより大きくなり、それにより、前記上部光学シート４１０と前記下部光学シート４２０の接着品質が増加する。
このように前記接合部４２２ｃが前記接着層４３０の内部に埋め込まれる場合、図７に示すように、前記光伝達部４２２ｂは前記接着層４３０の内部に埋め込まれないため、前記光伝達部４２２ｂの長さＬ２は前記第１単位集光体４１２ａの長さＬ１と同一であるかより大きく維持されることができる。
【００６１】
このような構成を通じ、前記光学シートモジュール４００は前記接着層４３０をさらに備え、前記接合部４２２ｃが前記接着層４３０の内部に埋め込まれて接着品質を増加させると同時に前記光伝達部４２２ｂの断面軌跡の長さにも変化を与えないことにより、前記第２構造化パターン４２２によって屈折して集光される光の輝度が減少しないようにする。
【００６２】
次に、図８および図９を参照し、前記接合部４２２ｃの変形された形態について説明すれば次の通りである。
図８は図６の下部光学シート４２０において接合部４２２ｃの変形された形態について示す図であり、図９は図２の下部光学シートにおいて接合部が延長面の形態に形成された構成について示す図である。
【００６３】
図示したように、前記接合部４２２ｃは断面軌跡が前記光伝達部４２２ｂと同一の傾斜角度を有するように形成されず、様々な形態に形成されることができる。
図８（ａ）を見てみれば、前記接合部４２２ｃにおいて、断面の軌跡に沿った上側末端部が前記第１ベースフィルム４１４の下面に接して面接触をする接着面を備えた状態の図面である。
【００６４】
前記接合部４２２ｃは、前記光伝達部４２２ｂの上部に連結されて上部方向に延びた１対の延長面Ｓ１が形成され、前記延長面Ｓ１と前記延長面Ｓ１との間を連結する接合面Ｓ２で構成される。
このように前記接合部４２２ｃが前記延長面Ｓ１および前記接合面Ｓ２を備えることにより、前記第１ベースフィルム４１４と前記第２構造化パターン４２２との接着品質を増加させることができる。
【００６５】
また、図８（ｂ）は、前記接合部４２２ｃが上部方向に突出した球形状に形成されて接着面積を増加させることにより、前記第１ベースフィルム４１４と前記第２構造化パターン４２２の接着品質を増加させる。
すなわち、前記接合面Ｓ２は、断面の軌跡が屈曲形成されて上部方向に突出形成される。
【００６６】
このように前記接合部４２２ｃが形成されることにより、前記接合部４２２ｃが前記接着層４３０の内部に埋め込まれる接着面積が増加して接着品質を増加させることができる。それのみならず、前記光学シートモジュール４００が前記接着層４３０を含まない場合、前記接合部４２２ｃは図４を参照して上述したように前記第１ベースフィルム４１４の下面において拡散して接着剤の役割をすることができる。
【００６７】
以上、前記接合部４２２ｃの変形された形態について説明し、前記接着層４３０の有無に関係なく、前記第２構造化パターン４２２が前記第１ベースフィルム４１４と接合される時、前記接合部４２２ｃによって前記光伝達部４２２ｂの断面軌跡の長さに変化がないように構成されることにより、前記第２構造化パターン４２２において下部から伝達される光を屈折させて集光する領域の消失がないため、集光される光の輝度が増加する。
【００６８】
次に、図９に示された前記接合部４２２ｃの変形された形態について説明すれば、前記接合部４２２ｃは前記光伝達部４２２ｂの断面軌跡の上部方向の末端部を連結する連結面の形態に形成される。ここで、前記第２単位集光体４２２ａは前記第１単位集光体４１２ａより傾斜面が大きいか同一に形成されることができる。
そのため、連結面の形態に形成された前記接合部４２２ｃが前記上部光学シート４１０の下部に接して接合される。
【００６９】
次に、図１０および図１１を参照し、本発明の実施形態による光学シートモジュールにおいて別途の反射偏光フィルムがさらに含まれた構成について説明すれば次の通りである。
図１０は図２の光学シートモジュールにおいて反射偏光フィルムがさらに含まれた状態を示す分解斜視図であり、図１１は図１０の反射偏光フィルムによって光が透過または反射する状態を示す図である。
【００７０】
図示された図面を見てみれば、前記上部光学シート４１０の上部に別途の反射偏光フィルム５００がさらに含まれて積層形態で備えられた構成であり、前記上部光学シート４１０および前記下部光学シート４２０によって集光された光を選択的に透過させる。
前記反射偏光フィルム（Ｒｅｆｌｅｃｔｉｖｅ  Ｐｏｌａｒｉｚｅｒ：５００）とは、光の偏光状態に応じて選択的に光を透過させ、偏光状態が異なる光は前記導光板２００に戻す役割をする。このような装置の一例としてＤＢＥＦ（Ｄｕａｌ  Ｂｒｉｇｈｔｎｅｓｓ  Ｅｎｈａｎｃｅｍｅｎｔ  Ｆｉｌｍ：二重輝度向上フィルム）がある。
【００７１】
ＤＢＥＦを通過できずに反射した光はＢＬＵ下段の前記導光板２００を通して再反射して再び上部に向かう。ＤＢＥＦは、このうちの偏光状態が合う光だけを通過させた後、残りの光を反射する役割を継続して繰り返す。
このような過程の繰り返しを通じて所望の偏光状態の光だけを上部に放出するため、放出される光の消失の減らし、ディスプレイモジュールの輝度が上昇する。
【００７２】
より具体的に説明すれば、図１１に示すように、前記反射偏光フィルム５００は前記上部光学シート４１０の上部に積層して配置された形態であり、前記下部光学シート４２０および前記上部光学シート４１０を通過して集光された光が前記反射偏光フィルム５００に向かう。ここで、前記反射偏光フィルム５００に向かう光は色々な偏光状態の光が混合された状態であり、前記反射偏光フィルム５００が透過させる偏光状態を有したＰ１の光と前記反射偏光フィルム５００が透過させない偏光状態を有するＰ２の光とから構成される。
【００７３】
図示したように、前記上部光学シート４１０および前記下部光学シート４２０を通過した光はＰ１およびＰ２の混合状態であるが、前記反射偏光フィルム５００はＰ１の光だけを透過させ、Ｐ２の光は再び下部方向に反射させる。
そのため、Ｐ１の光は外部に放出されるが、Ｐ２の光は反射されて下部に戻り、前記導光板２００によって反射されて再び上部に移動する。この過程を通じてＰ２の光は進行方向および偏光状態が変わり、このような繰り返しを通じて前記反射偏光フィルム５００が透過させるのに好適な状態に変換される。
【００７４】
このように前記反射偏光フィルム５００を備えることによって光の消失を減らすと同時に、所望の屈折角度および偏光状態を有する光を上部に放出してディスプレイモジュールの輝度を増加させることができる。
一方、前記反射偏光フィルム５００は前記上部光学シート４１０の上部に積層して配置されるだけでなく、前記上部光学シート４１０と前記下部光学シート４２０との間に積層して配置されることもできる。
【００７５】
以上、本発明の好ましい実施形態を説明したが、前述した実施形態の他にも本発明の趣旨や範疇から逸脱せずに他の形態に具体化することができる。よって、本実施形態は特定の形態に制限的ではなく例示的なものとしてみなすべきであり、そのため、本発明は上述した説明に限定されず、添付された請求項の範疇およびその同等な範囲内で変更することができる。
【図１】
2019117385.tif 000003
【図２】
2019117385.tif 000004
【図３】
2019117385.tif 000005
【図４】
2019117385.tif 000006
【図５】
2019117385.tif 000007
【図６】
2019117385.tif 000008
【図７】
2019117385.tif 000009
【図８】
2019117385.tif 000010
【図９】
2019117385.tif 000011
【図１０】
2019117385.tif 000012
【図１１】
2019117385.tif 000013